(57)【要約】【課題】  電源コードを本体へ確実に巻き付け収納可能とする。【解決手段】  ハンドル６の外面でモータハウジング５への付け根部分には、ガイド壁２３とリブ２５とによって電源コード１０の嵌合部２６が夫々形成されている。よって、マルノコ１を片付ける際には、電源コード１０を、ハンドル６への接続側から、ハンドル６とブレードケース８との間からモータハウジング５の下方に掛けて巻き付け、巻き終わりの際には、プラグ１１近くのコード部分を例えば上側の嵌合部２６に嵌め込めば、プラグ１１はガイド壁２３とリブ２５及び補助リブ２７との間でばらけることなく固定される。【選択図】  図４
2006116815.tif 000002
【特許請求の範囲】
【請求項１】
平面矩形のベース上に、モータを収容する横向き筒状のモータハウジングと、そのモータハウジングの側面に連結されるハンドルと、前記モータによって回転駆動する円盤状の切断刃とを備えた本体を設けると共に、前記本体に、電源コードを接続してなる切断機であって、
前記ハンドルの表面に、前記電源コードのプラグ或いはその近傍のコード部分を嵌め込み固定可能な嵌合部を、前記モータハウジングの周方向に沿って複数設けたことを特徴とする切断機。
【発明の詳細な説明】
【技術分野】
【０００１】
本発明は、円盤状の切断刃で被切断材を切断するカッタやマルノコ等の切断機に関する。
【背景技術】
【０００２】
例えばマルノコでは、平面矩形のベース上に、モータを収容する横向き筒状のモータハウジングと、そのモータハウジングの側面に連結されるハンドルと、モータによって回転駆動する円盤状の鋸刃（切断刃）とを備えた本体を設け、ベースの下方に鋸刃を突出させて、被切断材上でベースをスライドさせることで、鋸刃による被切断材の切断が可能となっている。また、交流機の場合は、本体に設けた電源コードのプラグを商用電源のコンセントに差し込んで電源を得ることになる（例えば特許文献１参照）。
【０００３】
【特許文献１】特開２００３−６２８０２号公報
【発明の開示】
【発明が解決しようとする課題】
【０００４】
マルノコを保管、運搬等する場合、電源コードは、本体のモータハウジングへ適当に巻き付け収納されることが多い。しかし、電源コードを巻き付けても終端のプラグがフリーになるため、そのままにしておくと電源コードがばらけやすく、巻き付けたコードの間にプラグを差し込んだりするとコードを痛めるおそれもある。
【０００５】
そこで、請求項１に記載の発明は、電源コードをばらけさせたり傷付けたりすることなく本体へ確実に巻き付け収納できる切断機を提供することを目的としたものである。
【課題を解決するための手段】
【０００６】
上記目的を達成するために、請求項１に記載の発明は、ハンドルの表面に、電源コードのプラグ或いはその近傍のコード部分を嵌め込み固定可能な嵌合部を、モータハウジングの周方向に沿って複数設けたことを特徴とするものである。
【発明の効果】
【０００７】
請求項１に記載の発明によれば、電源コードをばらけることなく本体へ確実に巻き付け収納可能となり、保管や運搬に至便となる。特に、嵌合部への嵌め込み固定である上、各嵌合部を横向きのモータハウジングの周方向に沿って形成しているため、モータハウジングを利用して巻き付けた電源コードの終端を、そのまま巻き付け方向に沿って固定できる。よって、電源コードをモータハウジングを利用して無理なく巻き付け収納可能となり、電源コードが損傷するおそれもなくなる。
さらに、嵌合部が複数あるため、適当な嵌合部を選択することにより、電源コードの終端部の飛び出し量をできるだけ少なくして固定可能となる。
【発明を実施するための最良の形態】
【０００８】
以下、本発明の実施の形態を図面に基づいて説明する。
図１は切断機の一例であるマルノコの斜視図、図２は背面図で、ここに示されるマルノコ１は、平面矩形のベース２上に、モータによって回転駆動する切断刃となる円盤状の鋸刃４を備えた本体３を設置してなる。本体３は、内部にモータを収容した横向き筒状のモータハウジング５と、モータハウジング５の側面に連結され、モータハウジング５側に延設された半割部分と合わせてハンドル６を形成するハンドルハウジング７と、ハンドルハウジング７に連結され、鋸刃４の上部を覆うブレードケース８とから形成される。９は、ハンドル６に設けられたトリガースイッチ、１０は、ハンドル６から引き出されて先端にプラグ１１を有する電源コードである。
【０００９】
ブレードケース８は、ベース２における切断方向の前方側（図１の左下側）が、平面コ字状の連結板１２に軸１３によって上下方向へ回転可能に軸着されており、その連結板１２が、ベース２上に立設されて円弧状のガイド溝１５を有する扇状のガイド板１４に、ツマミネジ１６によってガイド溝１５に沿った任意の位置で固定可能に連結されている。一方、ブレードケース８の後方側でも同様に、ベース２上に立設されて円弧状のガイド溝を有する扇状のガイド板１７に、前方へ向かって円弧状にカーブするデプスガイド１８が、ツマミネジ１９によってガイド溝に沿った任意の位置で固定可能に連結されている。このデプスガイド１８が、ブレードケース８の内部に遊挿されて、ボルト２０及びカムレバー２１によってブレードケース８と任意の位置でクランプ可能となっている。
【００１０】
よって、本体３は、デプスガイド１８に沿ったブレードケース８のクランプ位置を変更することで、軸１３を中心として回転させて、鋸刃４のベース２下方への突出量（切込量）を調整可能となる。また、前後のガイド板１４，１７における連結板１２とデプスガイド１８との固定位置を変更することで、本体３を、鋸刃４がベース２と直交する直角位置から、右側へ倒伏して鋸刃４がベース２と４５°の角度で傾斜する最大傾斜位置までの任意の傾斜角度で固定可能となる。なお、ベース２の前端には、鋸刃４の直角位置と４５°位置で側縁が夫々鋸刃４の延長面上に位置する切込み２２，２２が形成されており、被切断材の上面に表記した墨線に切込み２２，２２の側縁を合わせることで、墨線に沿った切断が容易に可能となっている。
【００１１】
一方、ハンドル６におけるモータハウジング５側（背面側）で、モータハウジング５との付け根部分の二箇所には、図２，３にも示すように、ガイド壁２３，２３が立設されている。このガイド壁２３は、モータハウジング５から所定間隔をおいてモータハウジング５の周方向に沿って形成される板状体で、両端部には、モータハウジング５側に向けて折曲する折曲部２４，２４が夫々形成されている。また、各ガイド壁２３に対向するモータハウジング５の外面には、ガイド壁２３と同じ高さのリブ２５が、ガイド壁２３と交差方向でガイド壁２３の略中央に向けて突設されている。各ガイド壁２３の折曲部２４先端とリブ２５との間隔は、モータハウジング５の半径方向で電源コード１０のコード部分の直径と略同じとなるように設定されて、両者の間にモータハウジング５の周方向に沿った嵌合部２６，２６を夫々形成している。なお、モータハウジング５において、上側に位置するリブ２５の近傍で、ガイド壁２３の真下からモータハウジング５の周方向にずれる位置には、リブ２５よりやや長い補助リブ２７が、リブ２５と平行に突設されている。
【００１２】
以上の如く構成されたマルノコ１においては、電源コード１０のプラグ１１を商用電源のコンセントに差し込み、ベース２を被切断材上にセットした状態で、トリガースイッチ９を押し込んでモータを駆動させると、鋸刃４が回転する。よって、そのままベース２を前方へスライドさせると、鋸刃４による被切断材の切断が可能となる。
作業終了後、マルノコ１を片付ける際には、プラグ１１をコンセントから抜き取った電源コード１０を、ハンドル６への接続側から、ハンドル６とブレードケース８との間からモータハウジング５の下方に掛けて巻き付ける。巻き終わりの際には、プラグ１１をハンドル６の背面側へ引き回し、コード部分を、図４のように、例えば上側の嵌合部２６に嵌め込めば、プラグ１１はガイド壁２３とリブ２５及び補助リブ２７との間で固定される。よって、そのまま保管や運搬等が可能となる。特にここでは、ガイド壁２３の折曲部２４とリブ２５，２７の先端との先端が互い違いに接触する格好となるため、コードは嵌合部２６から抜けにくくなっている。
【００１３】
このように上記形態のマルノコ１によれば、ハンドル６の表面に、電源コード１０のプラグ１１近傍のコード部分を嵌め込み固定可能な嵌合部２６，２６を、モータハウジング５の周方向に沿って複数設けたことで、電源コード１０をばらけることなく本体３へ確実に巻き付け収納可能となり、保管や運搬に至便となる。特に、嵌合部２６への嵌め込み固定である上、各嵌合部２６を横向きのモータハウジング５の周方向に沿って形成しているため、モータハウジング５を利用して巻き付けた電源コード１０の終端を、そのまま巻き付け方向に沿って固定できる。よって、電源コード１０をモータハウジング５を利用して無理なく巻き付け収納可能となり、電源コード１０が損傷するおそれもなくなる。
さらに、嵌合部２６が複数あるため、適当な嵌合部２６を選択することにより、電源コード１０の終端部の飛び出し量をできるだけ少なくして固定可能となる。
【００１４】
なお、嵌合部を形成するガイド壁やリブ、補助リブは、上記形態の構造に限らず、リブや補助リブをガイド壁のような板状体としても良いし、その逆にガイド壁をリブ形状としても良い。また、板状体の他、円柱状の突起等によって嵌合部を形成することもできる。さらに、ハンドルの付け根に設けるのに限らず、先端寄りやブレードケース側の外面に設けることもできる。
そして、嵌合部は、上記形態のガイド壁やリブのような突起間に形成するものに限らず、ハンドルに凹設した凹部としても差し支えない。また、コード部分を嵌合する以外に、プラグを嵌合させて固定することも可能である。勿論これらの嵌合部は二箇所に限らず、三箇所以上設けることもできる。
【図面の簡単な説明】
【００１５】
【図１】マルノコの斜視図である。
【図２】マルノコの背面図である。
【図３】モータハウジングをマルノコの前方側から見た説明図である。
【図４】電源コードを巻き付けた状態のマルノコの斜視図である。
【符号の説明】
【００１６】
１‥マルノコ、２‥ベース、３‥本体、４‥鋸刃、５‥モータハウジング、６‥ハンドル、７‥ハンドルハウジング、８‥ブレードケース、１０‥電源コード、１１‥プラグ、２３‥ガイド壁、２５‥リブ、２６‥嵌合部。
【図１】
2006116815.tif 000003
【図２】
2006116815.tif 000004
【図３】
2006116815.tif 000005
【図４】
2006116815.tif 000006